(57)【要約】【課題】プレビュー画像を作成して表示することなく、各種項目の設定処理の高速化を図ることができる画像形成装置、プログラムおよび項目設定処理方法を提供する。【解決手段】サンプル画像データに基づく仮の仕上がり情報５００および入力画面情報による入力画面４００上で各種項目４０２の設定処理を行い、その設定４０６を反映した仮の仕上がり情報を表示手段１５に表示する。これにより、原稿をプレスキャンする必要がなくなることから、各種項目の設定処理の高速化を図ることができる。【選択図】        図８
2007188054.tif 000002
【特許請求の範囲】
【請求項１】
画像データを入力する画像データ入力手段と、
サンプル画像データを予め記憶しておく画像記憶部と、
前記サンプル画像データに対して各種設定情報に基づいて設定処理を施した仮の仕上がり情報を生成する仮仕上がり情報生成手段と、
前記仮の仕上がり情報に対する各種の設定入力を受け付ける設定処理項目を含む入力画面情報を生成する入力画面情報生成手段と、
前記仮の仕上がり情報および前記入力画面情報による入力画面を表示する表示手段と、
前記入力画面で受け付けた設定入力内容を、前記仮仕上がり情報生成手段に対して出力して設定させる設定手段と、
前記仮の仕上がり情報に基づいて、前記画像データ入力手段により入力された前記画像データの複写処理を実行する複写処理手段と、
を備えることを特徴とする画像形成装置。
【請求項２】
画像データを入力する画像データ入力手段と、
サンプル画像データを予め記憶しておく画像記憶部と、
前記画像データ入力手段による前記画像データの入力に先立って、前記サンプル画像データに対して各種設定処理を施した仮の仕上がり情報を生成する仮仕上がり情報生成手段と、
前記仮の仕上がり情報に対する各種の設定入力を受け付ける設定処理項目を含む入力画面情報を生成する入力画面情報生成手段と、
前記仮の仕上がり情報および前記入力画面情報による入力画面を表示する表示手段と、
前記入力画面で受け付けた設定入力内容を、前記仮仕上がり情報生成手段に対して出力して設定させる設定手段と、
前記サンプル画像データに対する各種設定の完了後に、前記画像データ入力手段により入力された前記画像データに対して前記サンプル画像データに施した各種設定を反映した仕上がり情報を生成する仕上がり情報生成手段と、
前記仕上がり情報に基づいて、前記画像データ入力手段により入力された前記画像データの複写処理を実行する複写処理手段と、
を備えることを特徴とする画像形成装置。
【請求項３】
画像データを入力する画像データ入力手段と、
サンプル画像データを予め記憶しておく画像記憶部と、
前記画像データ入力手段により入力された前記画像データの表示が可能になるまで、前記サンプル画像データに対して各種設定処理を施した仮の仕上がり情報を生成する仮仕上がり情報生成手段と、
前記仮の仕上がり情報に対する各種の設定入力を受け付ける設定処理項目を含む入力画面情報を生成する入力画面情報生成手段と、
前記仮の仕上がり情報および前記入力画面情報による入力画面を表示する表示手段と、
前記入力画面で受け付けた設定入力内容を、前記仮仕上がり情報生成手段に対して出力して設定させる設定手段と、
前記画像データ入力手段により入力された前記画像データが表示可能となった場合に、当該画像データに対して前記サンプル画像データに施した各種設定を反映した仕上がり情報を生成する仕上がり情報生成手段と、
前記仕上がり情報に基づいて、前記画像データ入力手段により入力された前記画像データの複写処理を実行する複写処理手段と、
を備えることを特徴とする画像形成装置。
【請求項４】
コピー処理を実行する前記画像データ入力手段により入力される前記画像データの画像特性値に応じて予め用意された複数のサンプル画像データの中から適切な前記サンプル画像データを選択可能とするデータ選択手段を更に備える、
ことを特徴とする請求項１ないし３のいずれか一記載の画像形成装置。
【請求項５】
前記サンプル画像データは、前回の操作時に前記画像データ入力手段により入力された画像データである、
ことを特徴とする請求項１ないし３のいずれか一記載の画像形成装置。
【請求項６】
画像データを入力する画像データ入力機能と、
画像記憶部に予め記憶されているサンプル画像データに対して各種設定情報に基づいて設定処理を施した仮の仕上がり情報を生成する仮仕上がり情報生成機能と、
前記仮の仕上がり情報に対する各種の設定入力を受け付ける設定処理項目を含む入力画面情報を生成する入力画面情報生成機能と、
前記仮の仕上がり情報および前記入力画面情報による入力画面を表示する表示機能と、
前記入力画面で受け付けた設定入力内容を、前記仮仕上がり情報生成機能に対して出力して設定させる設定機能と、
前記仮の仕上がり情報に基づいて、前記画像データ入力機能により入力された前記画像データの複写処理を実行する複写処理機能と、
をコンピュータに実行させることを特徴とするプログラム。
【請求項７】
画像データを入力する画像データ入力機能と、
前記画像データ入力機能による前記画像データの入力に先立って、画像記憶部に予め記憶されているサンプル画像データに対して各種設定処理を施した仮の仕上がり情報を生成する仮仕上がり情報生成機能と、
前記仮の仕上がり情報に対する各種の設定入力を受け付ける設定処理項目を含む入力画面情報を生成する入力画面情報生成機能と、
前記仮の仕上がり情報および前記入力画面情報による入力画面を表示する表示機能と、
前記入力画面で受け付けた設定入力内容を、前記仮仕上がり情報生成機能に対して出力して設定させる設定機能と、
前記サンプル画像データに対する各種設定の完了後に、前記画像データ入力機能により入力された前記画像データに対して前記サンプル画像データに施した各種設定を反映した仕上がり情報を生成する仕上がり情報生成機能と、
前記仕上がり情報に基づいて、前記画像データ入力機能により入力された前記画像データの複写処理を実行する複写処理機能と、
をコンピュータに実行させることを特徴とするプログラム。
【請求項８】
画像データを入力する画像データ入力機能と、
前記画像データ入力機能により入力された前記画像データの表示が可能になるまで、画像記憶部に予め記憶されているサンプル画像データに対して各種設定処理を施した仮の仕上がり情報を生成する仮仕上がり情報生成機能と、
前記仮の仕上がり情報に対する各種の設定入力を受け付ける設定処理項目を含む入力画面情報を生成する入力画面情報生成機能と、
前記仮の仕上がり情報および前記入力画面情報による入力画面を表示する表示機能と、
前記入力画面で受け付けた設定入力内容を、前記仮仕上がり情報生成機能に対して出力して設定させる設定機能と、
前記画像データ入力機能により入力された前記画像データが表示可能となった場合に、当該画像データに対して前記サンプル画像データに施した各種設定を反映した仕上がり情報を生成する仕上がり情報生成機能と、
前記仕上がり情報に基づいて、前記画像データ入力機能により入力された前記画像データの複写処理を実行する複写処理機能と、
をコンピュータに実行させることを特徴とするプログラム。
【請求項９】
コピー処理を実行する前記画像データ入力機能により入力される前記画像データの画像特性値に応じて予め用意された複数のサンプル画像データの中から適切な前記サンプル画像データを選択可能とするデータ選択機能を更にコンピュータに実行させる、
ことを特徴とする請求項６ないし８のいずれか一記載のプログラム。
【請求項１０】
画像データを入力する画像データ入力工程と、
画像記憶部に予め記憶されているサンプル画像データに対して各種設定情報に基づいて設定処理を施した仮の仕上がり情報を生成する仮仕上がり情報生成工程と、
前記仮の仕上がり情報に対する各種の設定入力を受け付ける設定処理項目を含む入力画面情報を生成する入力画面情報生成工程と、
前記仮の仕上がり情報および前記入力画面情報による入力画面を表示する表示工程と、
前記入力画面で受け付けた設定入力内容を、前記仮仕上がり情報生成工程に対して出力して設定させる設定工程と、
前記仮の仕上がり情報に基づいて、前記画像データ入力工程により入力された前記画像データの複写処理を実行する複写処理工程と、
を含むことを特徴とする項目設定処理方法。
【請求項１１】
画像データを入力する画像データ入力工程と、
前記画像データ入力工程による前記画像データの入力に先立って、画像記憶部に予め記憶されているサンプル画像データに対して各種設定処理を施した仮の仕上がり情報を生成する仮仕上がり情報生成工程と、
前記仮の仕上がり情報に対する各種の設定入力を受け付ける設定処理項目を含む入力画面情報を生成する入力画面情報生成工程と、
前記仮の仕上がり情報および前記入力画面情報による入力画面を表示する表示工程と、
前記入力画面で受け付けた設定入力内容を、前記仮仕上がり情報生成工程に対して出力して設定させる設定工程と、
前記サンプル画像データに対する各種設定の完了後に、前記画像データ入力工程により入力された前記画像データに対して前記サンプル画像データに施した各種設定を反映した仕上がり情報を生成する仕上がり情報生成工程と、
前記仕上がり情報に基づいて、前記画像データ入力工程により入力された前記画像データの複写処理を実行する複写処理工程と、
を含むことを特徴とする項目設定処理方法。
【請求項１２】
画像データを入力する画像データ入力工程と、
前記画像データ入力工程により入力された前記画像データの表示が可能になるまで、画像記憶部に予め記憶されているサンプル画像データに対して各種設定処理を施した仮の仕上がり情報を生成する仮仕上がり情報生成工程と、
前記仮の仕上がり情報に対する各種の設定入力を受け付ける設定処理項目を含む入力画面情報を生成する入力画面情報生成工程と、
前記仮の仕上がり情報および前記入力画面情報による入力画面を表示する表示工程と、
前記入力画面で受け付けた設定入力内容を、前記仮仕上がり情報生成工程に対して出力して設定させる設定工程と、
前記画像データ入力工程により入力された前記画像データが表示可能となった場合に、当該画像データに対して前記サンプル画像データに施した各種設定を反映した仕上がり情報を生成する仕上がり情報生成工程と、
前記仕上がり情報に基づいて、前記画像データ入力工程により入力された前記画像データの複写処理を実行する複写処理工程と、
を含むことを特徴とする項目設定処理方法。
【請求項１３】
コピー処理を実行する前記画像データ入力工程により入力される前記画像データの画像特性値に応じて予め用意された複数のサンプル画像データの中から適切な前記サンプル画像データを選択可能とするデータ選択工程を更に含む、
ことを特徴とする請求項１０ないし１２のいずれか一記載の項目設定処理方法。
【発明の詳細な説明】
【技術分野】
【０００１】
本発明は、画像形成装置、プログラムおよび項目設定処理方法に関する。
【背景技術】
【０００２】
近年、原稿画像を読み取るスキャナ、スキャナで読み取った原稿画像を印刷する複写機、外部から入力された画像データを印刷するプリンタやファクシミリ装置、あるいは、これらの機能を兼ね備えたいわゆるＭＦＰ（Multi Function Peripheral）と称される複合機が用いられている。
【０００３】
この種の複合機にあっては、余白サイズなどの各種画像処理に関する設定、スタンプ押印処理、ステープル処理あるいはパンチ孔あけ処理といった仕上げ処理に関する設定など、様々な機能に関する設定をユーザは行うことができる。
【０００４】
しかしながら、従来の複合機では、このような仕上げ機能を設定してコピーを開始すると、印刷結果を得るまで仕上がり状態を確認できない。例えば、パンチ孔をあけた仕上がり状態において、パンチ孔の位置と出力画像とが重なっていたとしても、実際に印刷してみるまで結果を知ることができないため、ミスコピーとなり、用紙を無駄に使用してしまうという問題が生じる。
【０００５】
そこで、このような問題を解決するために、実際のコピー印刷に先だって、プレスキャンした原稿イメージに対して仕上げ機能などの各種機能による処理を施した仕上がり状態のプレビュー画像を表示し、必要に応じて印刷の設定を変更することができる情報処理装置が特許文献１で提案されている。
【０００６】
【特許文献１】特開２００１−６７３４７号公報
【発明の開示】
【発明が解決しようとする課題】
【０００７】
ところで、複合機の操作部のプレビュー表示上で各種機能設定を行い、その設定を反映したプレビュー画像を表示し、仕上がり状態を確認した後に印字するような場合において、処理負荷を考えた場合、以下に示すような課題がある。
【０００８】
第１には、実際のコピー印刷に先だって、原稿をプレスキャンして画像データを読み込まなければ処理ができない、という点である。また、第２には、プレスキャンした原稿イメージに対して仕上げ機能などの各種機能による処理を施した仕上がり状態の読取画像データを表示用画像（サムネイル画像など）に変換しなければいけない、という点である。
【０００９】
つまり、仕上がり状態は実際の印字状態に近いものが望ましいが、まず原稿をプレスキャンしてプレビュー画像を生成し、このプレビュー画像に対して行った設定を元画像データに対して行い、処理後の画像データからプレビュー画像を作成して表示することになるため、ＣＰＵ（Central Processing Unit）等に対する処理負荷が大きいという問題がある。
【００１０】
本発明は、上記に鑑みてなされたものであって、プレビュー画像を作成して表示することなく、各種項目の設定処理の高速化を図ることができる画像形成装置、プログラムおよび項目設定処理方法を提供することを目的とする。
【課題を解決するための手段】
【００１１】
上述した課題を解決し、目的を達成するために、請求項１にかかる発明の画像形成装置は、画像データを入力する画像データ入力手段と、サンプル画像データを予め記憶しておく画像記憶部と、前記サンプル画像データに対して各種設定情報に基づいて設定処理を施した仮の仕上がり情報を生成する仮仕上がり情報生成手段と、前記仮の仕上がり情報に対する各種の設定入力を受け付ける設定処理項目を含む入力画面情報を生成する入力画面情報生成手段と、前記仮の仕上がり情報および前記入力画面情報による入力画面を表示する表示手段と、前記入力画面で受け付けた設定入力内容を、前記仮仕上がり情報生成手段に対して出力して設定させる設定手段と、前記仮の仕上がり情報に基づいて、前記画像データ入力手段により入力された前記画像データの複写処理を実行する複写処理手段と、を備える。
【００１２】
また、請求項２にかかる発明の画像形成装置は、画像データを入力する画像データ入力手段と、サンプル画像データを予め記憶しておく画像記憶部と、前記画像データ入力手段による前記画像データの入力に先立って、前記サンプル画像データに対して各種設定処理を施した仮の仕上がり情報を生成する仮仕上がり情報生成手段と、前記仮の仕上がり情報に対する各種の設定入力を受け付ける設定処理項目を含む入力画面情報を生成する入力画面情報生成手段と、前記仮の仕上がり情報および前記入力画面情報による入力画面を表示する表示手段と、前記入力画面で受け付けた設定入力内容を、前記仮仕上がり情報生成手段に対して出力して設定させる設定手段と、前記サンプル画像データに対する各種設定の完了後に、前記画像データ入力手段により入力された前記画像データに対して前記サンプル画像データに施した各種設定を反映した仕上がり情報を生成する仕上がり情報生成手段と、前記仕上がり情報に基づいて、前記画像データ入力手段により入力された前記画像データの複写処理を実行する複写処理手段と、を備える。
【００１３】
また、請求項３にかかる発明の画像形成装置は、画像データを入力する画像データ入力手段と、サンプル画像データを予め記憶しておく画像記憶部と、前記画像データ入力手段により入力された前記画像データの表示が可能になるまで、前記サンプル画像データに対して各種設定処理を施した仮の仕上がり情報を生成する仮仕上がり情報生成手段と、前記仮の仕上がり情報に対する各種の設定入力を受け付ける設定処理項目を含む入力画面情報を生成する入力画面情報生成手段と、前記仮の仕上がり情報および前記入力画面情報による入力画面を表示する表示手段と、前記入力画面で受け付けた設定入力内容を、前記仮仕上がり情報生成手段に対して出力して設定させる設定手段と、前記画像データ入力手段により入力された前記画像データが表示可能となった場合に、当該画像データに対して前記サンプル画像データに施した各種設定を反映した仕上がり情報を生成する仕上がり情報生成手段と、前記仕上がり情報に基づいて、前記画像データ入力手段により入力された前記画像データの複写処理を実行する複写処理手段と、を備える。
【００１４】
また、請求項４にかかる発明は、請求項１ないし３のいずれか一記載の画像形成装置において、コピー処理を実行する前記画像データ入力手段により入力される前記画像データの画像特性値に応じて予め用意された複数のサンプル画像データの中から適切な前記サンプル画像データを選択可能とするデータ選択手段を更に備える。
【００１５】
また、請求項５にかかる発明は、請求項１ないし３のいずれか一記載の画像形成装置において、前記サンプル画像データは、前回の操作時に前記画像データ入力手段により入力された画像データである。
【００１６】
また、請求項６にかかる発明のプログラムは、画像データを入力する画像データ入力機能と、画像記憶部に予め記憶されているサンプル画像データに対して各種設定情報に基づいて設定処理を施した仮の仕上がり情報を生成する仮仕上がり情報生成機能と、前記仮の仕上がり情報に対する各種の設定入力を受け付ける設定処理項目を含む入力画面情報を生成する入力画面情報生成機能と、前記仮の仕上がり情報および前記入力画面情報による入力画面を表示する表示機能と、前記入力画面で受け付けた設定入力内容を、前記仮仕上がり情報生成機能に対して出力して設定させる設定機能と、前記仮の仕上がり情報に基づいて、前記画像データ入力機能により入力された前記画像データの複写処理を実行する複写処理機能と、をコンピュータに実行させる。
【００１７】
また、請求項７にかかる発明のプログラムは、画像データを入力する画像データ入力機能と、前記画像データ入力機能による前記画像データの入力に先立って、画像記憶部に予め記憶されているサンプル画像データに対して各種設定処理を施した仮の仕上がり情報を生成する仮仕上がり情報生成機能と、前記仮の仕上がり情報に対する各種の設定入力を受け付ける設定処理項目を含む入力画面情報を生成する入力画面情報生成機能と、前記仮の仕上がり情報および前記入力画面情報による入力画面を表示する表示機能と、前記入力画面で受け付けた設定入力内容を、前記仮仕上がり情報生成機能に対して出力して設定させる設定機能と、前記サンプル画像データに対する各種設定の完了後に、前記画像データ入力機能により入力された前記画像データに対して前記サンプル画像データに施した各種設定を反映した仕上がり情報を生成する仕上がり情報生成機能と、前記仕上がり情報に基づいて、前記画像データ入力機能により入力された前記画像データの複写処理を実行する複写処理機能と、をコンピュータに実行させる。
【００１８】
また、請求項８にかかる発明のプログラムは、画像データを入力する画像データ入力機能と、前記画像データ入力機能により入力された前記画像データの表示が可能になるまで、画像記憶部に予め記憶されているサンプル画像データに対して各種設定処理を施した仮の仕上がり情報を生成する仮仕上がり情報生成機能と、前記仮の仕上がり情報に対する各種の設定入力を受け付ける設定処理項目を含む入力画面情報を生成する入力画面情報生成機能と、前記仮の仕上がり情報および前記入力画面情報による入力画面を表示する表示機能と、前記入力画面で受け付けた設定入力内容を、前記仮仕上がり情報生成機能に対して出力して設定させる設定機能と、前記画像データ入力機能により入力された前記画像データが表示可能となった場合に、当該画像データに対して前記サンプル画像データに施した各種設定を反映した仕上がり情報を生成する仕上がり情報生成機能と、前記仕上がり情報に基づいて、前記画像データ入力機能により入力された前記画像データの複写処理を実行する複写処理機能と、をコンピュータに実行させる。
【００１９】
また、請求項９にかかる発明は、請求項６ないし８のいずれか一記載のプログラムにおいて、コピー処理を実行する前記画像データ入力機能により入力される前記画像データの画像特性値に応じて予め用意された複数のサンプル画像データの中から適切な前記サンプル画像データを選択可能とするデータ選択機能を更にコンピュータに実行させる。
【００２０】
また、請求項１０にかかる発明の項目設定処理方法は、画像データを入力する画像データ入力工程と、画像記憶部に予め記憶されているサンプル画像データに対して各種設定情報に基づいて設定処理を施した仮の仕上がり情報を生成する仮仕上がり情報生成工程と、前記仮の仕上がり情報に対する各種の設定入力を受け付ける設定処理項目を含む入力画面情報を生成する入力画面情報生成工程と、前記仮の仕上がり情報および前記入力画面情報による入力画面を表示する表示工程と、前記入力画面で受け付けた設定入力内容を、前記仮仕上がり情報生成工程に対して出力して設定させる設定工程と、前記仮の仕上がり情報に基づいて、前記画像データ入力工程により入力された前記画像データの複写処理を実行する複写処理工程と、を含む。
【００２１】
また、請求項１１にかかる発明の項目設定処理方法は、画像データを入力する画像データ入力工程と、前記画像データ入力工程による前記画像データの入力に先立って、画像記憶部に予め記憶されているサンプル画像データに対して各種設定処理を施した仮の仕上がり情報を生成する仮仕上がり情報生成工程と、前記仮の仕上がり情報に対する各種の設定入力を受け付ける設定処理項目を含む入力画面情報を生成する入力画面情報生成工程と、前記仮の仕上がり情報および前記入力画面情報による入力画面を表示する表示工程と、前記入力画面で受け付けた設定入力内容を、前記仮仕上がり情報生成工程に対して出力して設定させる設定工程と、前記サンプル画像データに対する各種設定の完了後に、前記画像データ入力工程により入力された前記画像データに対して前記サンプル画像データに施した各種設定を反映した仕上がり情報を生成する仕上がり情報生成工程と、前記仕上がり情報に基づいて、前記画像データ入力工程により入力された前記画像データの複写処理を実行する複写処理工程と、を含む。
【００２２】
また、請求項１２にかかる発明の項目設定処理方法は、画像データを入力する画像データ入力工程と、前記画像データ入力工程により入力された前記画像データの表示が可能になるまで、画像記憶部に予め記憶されているサンプル画像データに対して各種設定処理を施した仮の仕上がり情報を生成する仮仕上がり情報生成工程と、前記仮の仕上がり情報に対する各種の設定入力を受け付ける設定処理項目を含む入力画面情報を生成する入力画面情報生成工程と、前記仮の仕上がり情報および前記入力画面情報による入力画面を表示する表示工程と、前記入力画面で受け付けた設定入力内容を、前記仮仕上がり情報生成工程に対して出力して設定させる設定工程と、前記画像データ入力工程により入力された前記画像データが表示可能となった場合に、当該画像データに対して前記サンプル画像データに施した各種設定を反映した仕上がり情報を生成する仕上がり情報生成工程と、前記仕上がり情報に基づいて、前記画像データ入力工程により入力された前記画像データの複写処理を実行する複写処理工程と、を含む。
【００２３】
また、請求項１３にかかる発明は、請求項１０ないし１２のいずれか一記載の項目設定処理方法において、コピー処理を実行する前記画像データ入力工程により入力される前記画像データの画像特性値に応じて予め用意された複数のサンプル画像データの中から適切な前記サンプル画像データを選択可能とするデータ選択工程を更に含む。
【発明の効果】
【００２４】
請求項１にかかる発明によれば、サンプル画像データに基づく仮の仕上がり情報および入力画面情報による入力画面上で各種項目の設定処理を行い、その設定を反映した仮の仕上がり情報を表示手段に表示することになる。これにより、原稿をプレスキャンする必要がなくなることから、各種項目の設定処理の高速化を図ることができるという効果を奏する。
【００２５】
また、請求項２にかかる発明によれば、画像データ入力手段による画像データの入力に先立って、サンプル画像データに基づく仮の仕上がり情報および入力画面情報による入力画面上で各種項目の設定処理を行い、その設定を反映した仮の仕上がり情報を表示手段に表示するとともに、設定完了後に入力した画像データに設定内容を反映した仕上がり情報を作成し、確認後コピー処理を実行するようにしたものである。これにより、最初の設定処理においては原稿をプレスキャンする必要がなくなることから、各種項目の設定処理の高速化を図ることができるという効果を奏する。
【００２６】
また、請求項３にかかる発明によれば、画像データ入力手段により入力された画像データの表示が可能になるまで、サンプル画像データに基づく仮の仕上がり情報および入力画面情報による入力画面上で各種項目の設定処理を行い、その設定を反映した仮の仕上がり情報を表示手段に表示するとともに、入力された画像データが表示可能になった場合には、入力された画像データに設定内容を反映した仕上がり情報を作成し、確認後コピー処理を実行するようにしたものである。これにより、最初の設定処理においては原稿をプレスキャンする必要がなくなることから、各種項目の設定処理の高速化を図ることができるという効果を奏する。
【００２７】
また、請求項４にかかる発明によれば、より詳細な設定を行うことができるという効果を奏する。
【００２８】
また、請求項５にかかる発明によれば、予めサンプル画像データを用意する必要がなくなるという効果を奏する。
【００２９】
また、請求項６にかかる発明によれば、サンプル画像データに基づく仮の仕上がり情報および入力画面情報による入力画面上で各種項目の設定処理を行い、その設定を反映した仮の仕上がり情報を表示手段に表示することになる。これにより、原稿をプレスキャンする必要がなくなることから、各種項目の設定処理の高速化を図ることができるという効果を奏する。
【００３０】
また、請求項７にかかる発明によれば、画像データ入力手段による画像データの入力に先立って、サンプル画像データに基づく仮の仕上がり情報および入力画面情報による入力画面上で各種項目の設定処理を行い、その設定を反映した仮の仕上がり情報を表示手段に表示するとともに、設定完了後に入力した画像データに設定内容を反映した仕上がり情報を作成し、確認後コピー処理を実行するようにしたものである。これにより、最初の設定処理においては原稿をプレスキャンする必要がなくなることから、各種項目の設定処理の高速化を図ることができるという効果を奏する。
【００３１】
また、請求項８にかかる発明によれば、画像データ入力手段により入力された画像データの表示が可能になるまで、サンプル画像データに基づく仕上がり情報および入力画面情報による入力画面上で各種項目の設定処理を行い、その設定を反映した仕上がり情報を表示手段に表示するとともに、入力された画像データが表示可能になった場合には、入力された画像データに設定内容を反映した仕上がり情報を作成し、確認後コピー処理を実行するようにしたものである。これにより、最初の設定処理においては原稿をプレスキャンする必要がなくなることから、各種項目の設定処理の高速化を図ることができるという効果を奏する。
【００３２】
また、請求項９にかかる発明によれば、より詳細な設定を行うことができるという効果を奏する。
【００３３】
また、請求項１０にかかる発明によれば、サンプル画像データに基づく仮の仕上がり情報および入力画面情報による入力画面上で各種項目の設定処理を行い、その設定を反映した仮の仕上がり情報を表示手段に表示することになる。これにより、原稿をプレスキャンする必要がなくなることから、各種項目の設定処理の高速化を図ることができるという効果を奏する。
【００３４】
また、請求項１１にかかる発明によれば、画像データ入力手段による画像データの入力に先立って、サンプル画像データに基づく仮の仕上がり情報および入力画面情報による入力画面上で各種項目の設定処理を行い、その設定を反映した仮の仕上がり情報を表示手段に表示するとともに、設定完了後に入力した画像データに設定内容を反映した仕上がり情報を作成し、確認後コピー処理を実行するようにしたものである。これにより、最初の設定処理においては原稿をプレスキャンする必要がなくなることから、各種項目の設定処理の高速化を図ることができるという効果を奏する。
【００３５】
また、請求項１２にかかる発明によれば、画像データ入力手段により入力された画像データの表示が可能になるまで、サンプル画像データに基づく仮の仕上がり情報および入力画面情報による入力画面上で各種項目の設定処理を行い、その設定を反映した仮の仕上がり情報を表示手段に表示するとともに、入力された画像データが表示可能になった場合には、入力された画像データに設定内容を反映した仕上がり情報を作成し、確認後コピー処理を実行するようにしたものである。これにより、最初の設定処理においては原稿をプレスキャンする必要がなくなることから、各種項目の設定処理の高速化を図ることができるという効果を奏する。
【００３６】
また、請求項１３にかかる発明によれば、より詳細な設定を行うことができるという効果を奏する。
【発明を実施するための最良の形態】
【００３７】
以下に添付図面を参照して、この発明にかかる画像形成装置、プログラムおよび項目設定処理方法の最良な実施の形態を詳細に説明する。
【００３８】
［第１の実施の形態］
本発明の第１の実施の形態を図１ないし図８に基づいて説明する。本実施の形態は画像形成装置として、コピー機能、ファクシミリ（ＦＡＸ）機能、プリント機能、スキャナ機能及び入力画像（スキャナ機能による読み取り原稿画像やプリンタあるいはＦＡＸ機能により入力された画像）を配信する機能等を複合したいわゆるＭＦＰ（Multi Function Peripheral）と称される複合機を適用した例である。
【００３９】
図１は、本発明の第１の実施の形態にかかる複合機１０の機能ブロック図である。図１に示す複合機１０は、スキャナ１１、ＡＤＦ（オート・ドキュメント・フィーダ）１１１、スキャナコントローラ１１２、画像記憶部１２、画像処理部１３、プリンタ１４、プリンタコントローラ１４２、仕上げ処理部１４１、操作表示部１５、操作表示制御部１５１、システム制御部１６、および通信制御部１７を備える。また、複合機１０は、通信制御部１７を介してネットワーク１８と接続されている。そして、複合機１０は、原稿１９の画像を読み取って画像処理を施した後、印刷物２０として出力する。
【００４０】
システム制御部１６は、各構成部と接続されていて、複合機１０全体の制御を行うものである。例えば、選択されている用紙サイズに対して適切な走査領域情報をスキャナ１１に提供するなどの制御である。このシステム制御部１６は、不図示のＣＰＵ（Central Processing Unit）、ＲＯＭ（Read Only Memory）、ＲＡＭ（Random Access Memory）などから構成されており、ＣＰＵがＲＯＭに格納されたプログラムに基づいてＲＡＭのワーク領域を利用しながら動作することにより、各種処理が実行される。
【００４１】
なお、複合機１０で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital Versatile Disk）等のコンピュータで読み取り可能な記録媒体に記録されて提供されてもよい。この場合、システム制御部１６のＣＰＵが上記記憶媒体からプログラムを読み出して主記憶装置（図示せず）上にロードすることで、複合機１０に各種の機能を実現させる。また、プログラムを、インターネット等のネットワーク１８に接続されたコンピュータ上に格納し、ネットワーク経由でダウンロードさせることにより提供するようにしても良い。または、プログラムをインターネット等のネットワーク経由で提供若しくは配布するようにしても良い。
【００４２】
通信制御部１７は、ＬＡＮ（ローカル・エリア・ネットワーク）やインターネットなどのネットワーク１８と接続され、通信プロトコルに従ってネットワークに接続された他の機器との間で画像データや制御データ等のやり取りを行うものである。
【００４３】
スキャナコントローラ１１２は、システム制御部１６の命令を受け、スキャナ１１を制御する。
【００４４】
スキャナ１１は、スキャナコントローラ１１２に制御され、原稿１９のイメージをデジタル画像データに変換する。ここに、画像データ入力手段が実現されている。なお、ＡＤＦ１１１は、セットされた複数ページの原稿をスキャナ１１の読取位置に１枚ずつ順に繰り出すことができるので、このＡＤＦ１１１を用いることにより、スキャナ１１は複数ページの原稿を連続して自動的に読み込みを行うことができる。また、ＡＤＦ１１１は、用紙の片面に印刷された片面原稿だけでなく、両面に印刷された両面原稿を反転させてスキャナ１１に送り出すことができるので、スキャナ１１に両面原稿を読み込ませることが可能である。
【００４５】
画像記憶部１２は、システム制御部１６の命令を受け、スキャナ１１で読み取った画像データや、ネットワーク１８を介して外部から入力された画像データ等を一時的に保存しておくバッファメモリである。本実施の形態の複合機１０は、自身の備えるスキャナ１１から読み取った画像データ及び、ネットワーク１８を介するなどして外部から入力された画像データのいずれをも処理して画像形成することができる。
【００４６】
画像処理部１３は、スキャナ１１から送られて画像記憶部１２に一時的に保存された多値データに対して、システム制御部１６の命令を受け、γ補正やＭＴＦ補正処理等を施した後、スライス処理やディザ処理のような階調処理を施して２値（または多値）化処理を施す。また、画像処理部１３は、ユーザが設定した機能に対応した各種の画像処理（拡大／縮小、濃度／色の調整など）、画像領域編集処理（領域削除、領域移動、領域反転など）やレイアウト加工処理（両面印刷／片面印刷、集約印刷、余白サイズの調整など）、仕上がり状態のプレビュー画像である仕上がり情報の生成処理などを行う。
【００４７】
画像処理部１３は、仕上がり情報生成部１３１と、入力画面情報生成手段である入力画面情報生成部１３２と、設定手段である設定部１３３とを備える。
【００４８】
仕上がり情報生成部１３１は、基本的には、原稿をプレスキャンした画像データに対する各種の項目入力に基づく設定処理に従って、後述する表示パネル１５ｂに表示する原稿画像に対する加工や各種設定処理を施した後の仕上がり情報（プレビュー画像）を生成する。原稿画像に対する加工や仕上げ処理の結果を表す仕上がり情報を生成する。仕上がり情報生成部１３１は、基本的には、画像記憶部１２に一時的に保存された多値データを用いる。
【００４９】
入力画面情報生成部１３２は、仕上がり情報生成部１３１が生成した仕上がり情報に対する各種の設定入力を受け付ける設定処理項目を含み、表示パネル１５ｂに表示させる入力画面情報を生成する。
【００５０】
設定部１３３は、後述するタッチパネル１５ａから表示パネル１５ｂに表示された入力画面４００に対してユーザが設定のための入力を行った場合、該入力信号を受け付けるとともに、画像記憶部１２に格納された入力画像に関する座標情報を取得する。
【００５１】
ここで、仕上がり情報生成部１３１は、設定部１３３が設定入力信号を受け付けた場合、受け付けた設定入力信号に従って、再び仕上がり情報を更新して生成し、表示パネル１５ｂは更新して生成された仕上がり情報に従って更新された仕上がり予想画面を表示する。
【００５２】
また、入力画面情報生成部１３２は、設定部１３３によって受け付けられた入力信号によって、再びユーザからの設定入力を受け付ける画面を生成する入力画面情報を生成し、表示パネル１５ｂは生成された入力画面情報によって入力画面４００を更新して表示する。
【００５３】
プリンタコントローラ１４２は、システム制御部１６の命令を受けてプリンタ１４を制御する。
【００５４】
プリンタ１４は、プリンタコントローラ１４２に制御され、画像処理部１３で処理された画像データに基づいて光ビームを偏向走査させ、感光体上に形成した静電潜像にトナーを使って現像し、生成されたトナー画像を転写紙に転写して、定着処理を行う電子写真技術を用いたプリンタである。なお、プリンタ１４の印刷方式は、電子写真方式のほか、インクジェット方式、昇華型熱転写方式、銀塩写真方式、直接感熱記録方式、溶融型熱転写方式など、様々な方式を用いることができる。
【００５５】
このプリンタ１４は、仕上げ処理部１４１を搭載している。仕上げ処理部１４１は、自動設定あるいはユーザによる設定を受け付けて、印刷処理が施された印刷物２０を部数やページ単位で仕分けを行うソート処理、印刷媒体に対して所定のスタンプを押印するスタンプ処理、複数枚の印刷媒体を揃えてステープルで綴じるステープル処理、あるいは、複数枚の印刷媒体をバインダーやファイルに綴じるためのパンチ孔をあけるパンチ孔処理といった仕上げ処理を行う。
【００５６】
操作表示制御部１５１は、表示手段として機能するものであり、システム制御部１６の命令を受けて操作表示部１５の入出力を制御する。例えば、操作表示制御部１５１は、画像処理部１３によって処理されたデータを、操作表示部１５が備えているタッチパネル１５ａおよび表示パネル１５ｂに出力制御する。より具体的には、操作表示制御部１５１は、生成された仕上がり情報（プレビュー画像）を表示パネル１５ｂに表示させる。また、操作表示制御部１５１は、タッチパネル１５ａからの入力制御を行う。なお、表示パネル１５ｂとタッチパネル１５ａは図面上別々に記載されているが、ここでは一体的に構成する。
【００５７】
タッチパネル１５ａは、パネル上に、電気的あるいは磁気的にポインタの接触する位置を検出する。タッチパネル１５ａに対する指定手段（図示せず）としては、人間の指先、スタイラスペン、その他の接触入力具（以下ポインタと記す）が適用可能である。すなわち、ユーザは、タッチパネル１５ａに対してこのようなポインタを介して接触することによって、印刷設定を含む各種項目を入力する。
【００５８】
なお、本実施の形態においては、タッチパネル１５ａに対する接触入力を例に挙げて説明するが、必ずしも接触入力のみが本発明の実施の形態ではない。例えば、操作表示部１５は、タッチパネル１５ａの他に操作者による物理的なキーの押下を受付けて入力を行うハードキーを備え、印刷実行などの指示を与えるようにしても良い。また、表示パネル１５ｂは、複合機１０が備える専有の表示装置を用いても良い。
【００５９】
操作表示部１５は、操作表示制御部１５１に制御され、タッチパネル１５ａを介して設定内容の入力を受け付け、仕上がり情報（プレビュー画像）や画面の仕上げを設定する設定画面のメニュー項目を表示手段である表示パネル１５ｂに表示する。
【００６０】
また、操作表示部１５は、複合機１０で実行したい機能を設定画面のメニュー項目として表示し、表示されたメニュー項目の中からユーザによる設定入力を受け付けるためのものである。すなわち、操作表示制御部１５１は、項目の選択が可能な領域に対してポインタがタッチパネル１５ａに接触すると、押圧された部分の座標が検出され、選択可能領域における接触であることが検出されると、該当する項目が選択されたものとして受付ける。例えば、操作表示部１５は、原稿の状態に応じたスキャナ１１における読み取り条件の設定、読み取った画像データに対する画質調整などの加工を行う画像処理部１３における設定、プリンタ１４における印刷条件の設定、あるいは、印刷後の印刷物に対してソート、ステープル、パンチ孔などの仕上げ処理を行う仕上げ処理部１４１などの設定を受け付けるものである。
【００６１】
システム制御部１６は、操作表示制御部１５１を介して上述したような各種設定を受け付けると、画像記憶部１２に記憶されている元画像データに対して画像処理部１３で要求された設定処理を反映させて仕上がり情報（プレビュー画像）を作成し、操作表示部１５に送って表示させる。
【００６２】
図２は、複合機１０が画像データを入力して生成した仕上がり情報（プレビュー画像）の一例を示す模式図である。操作表示部１５の表示パネル１５ｂには、仕上がり情報（プレビュー画像）４０１および設定処理項目４０２が表示される。設定処理項目４０２としては、ステープル、パンチ、綴じしろ調整、わく消去、スタンプおよびページ番号などの仕上がり情報（プレビュー画像）４０１上の場所に依存したメニュー４０２ａが画面の右側に表示されている。また、出力カラー、出力濃度、用紙、拡大／縮小、片面／両面、集約、ソート／スタックおよび地肌などのコンテンツに依存しないメニュー４０２ｂが画面の左側に表示されている。
【００６３】
操作者が、表示パネル１５ｂに表示された仕上がり情報（プレビュー画像）４０１を見ながらポインタで接触することによって、タッチパネル１５ａは、表示された仕上がり情報（プレビュー画像）４０１上の印刷物の仕上がり状態における空間的位置である位置情報の入力を受け付ける。このような場合において、設定部１３３は、タッチパネル１５ａによって受け付けられた位置情報を解析し、ポインタの接触する画像上での座標情報を取得する。
【００６４】
このような構成により、複合機１０は、実際のコピー印刷に先だって、仕上がり情報（プレビュー画像）４０１を複合機１０の操作表示部１５が備えている表示パネル１５ｂに表示し、目視でその仕上がり情報（プレビュー画像）を確認した後に、必要に応じて設定を変更し、実際の印刷を行うことができる。
【００６５】
ここで、図３に示すように、操作者によって操作表示部１５において表示されている設定処理項目４０２（４０２ａ）のうち、パンチ孔４０３が接触入力により選択されたとする。
【００６６】
操作表示部１５がパンチ孔４０３からの接触入力を検知し、システム制御部１６が操作表示制御部１５１を介してパンチ孔４０３の設定を受け付けると、画像処理部１３の入力画面情報生成部１３２は、「パンチ孔」に対応して設定できるパンチ孔の領域を図４に示した処理項目と設定可能領域との対応定義テーブルから読み出して、設定できる領域４０４および４０５を、操作表示部１５に表示する。パンチ孔が可能な領域４０４および４０５を、仕上がり情報（プレビュー画像）４０１において表示する形態は、互いに重畳する形態でも良く、上書きして表示する形態でも良い。あるいは、可能な領域の色を変化させる、点滅させる、あるいはそれ以外をダークアウトさせるなどの表現形態を適用することができる。
【００６７】
そして、操作者は、図３に示されたパンチ孔領域４０４に接触することによって選択入力を行う。操作表示部１５は、パンチ孔４０３からの接触入力を受け付け、画像処理部１３の仕上がり情報生成部１３１は、受け付けた領域においてパンチ孔処理を施す設定処理を反映させて仕上がり情報（プレビュー画像）を作成し、操作表示部１５に送って表示させる。図５にパンチ孔処理４０６が施された仕上がり情報（プレビュー画像）４０１を示す。このようにして表示された仕上がり情報（プレビュー画像）４０１から、修正などの設定入力を受け付ける。受け付けた設定は再び反映されて表示され、受け付けない場合は、印刷実行を受け付ける。
【００６８】
ところで、複合機１０の操作表示部１５のプレビュー表示上で各種設定処理を行い、その設定を反映した仕上がり情報（プレビュー画像）４０１を表示パネル１５ｂに表示し、仕上がり状態を確認した後に印字するような場合において、処理負荷を考えた場合、以下に示すような課題がある。
【００６９】
第１には、実際のコピー印刷に先だって、原稿をプレスキャンして画像データを読み込まなければ処理ができない、という点である。また、第２には、プレスキャンした原稿イメージに対して仕上げ機能などの各種機能による処理を施した仕上がり状態の読取画像データを表示用画像に変換しなければいけない、という点である。
【００７０】
つまり、仕上がり状態は実際の印字状態に近いものが望ましいが、まず原稿をプレスキャンしてプレビュー画像を生成し、このプレビュー画像に対して行った設定を元画像データに対して行い、処理後の画像データから仕上がり情報（プレビュー画像）４０１を作成して表示することになるため、処理負荷が大きいという問題がある。
【００７１】
そこで、本実施の形態においては、原稿のプレスキャンに先立ってサンプル画像を表示パネル１５ｂに表示し、このサンプル画像上で各種設定処理を行うようにした。すなわち、操作表示部１５における各種設定処理においては、例えばスキャナ１１によって実際に読み込んだ画像データは使用しない、というものである。
【００７２】
具体的には、図１に示すように、画像記憶部１２にサンプル画像データ１２ａを予め記憶しておき、複合機１０の起動後、操作表示部１５の表示パネル１５ｂには、図６に示すように、サンプル画像５００および設定処理項目４０２が表示される。
【００７３】
図７は、システム制御部１６が各部を制御することによる設定処理からコピー処理への流れを示すフローチャートである。図７に示すように、複合機１０の起動後、仕上がり情報生成部１３１は、まず、初期設定情報（デフォルト設定項目値）に基づいて、サンプル画像データ１２ａに対する加工や仕上げ処理の結果を表す仮の仕上がり情報を生成する（ステップＳ１）。ここに、仮仕上がり情報生成手段の機能が実行される。そして、入力画面情報生成部１３２はデフォルト設定にしたがってユーザからの設定入力を受け付ける入力画面情報を生成する（ステップＳ２）。ここで、デフォルト設定の情報は、システム制御部１６にデフォルト仕様として記憶させておくことができる。
【００７４】
表示パネル１５ｂは、仕上がり情報生成部１３１によって生成された仮の仕上がり情報、および入力画面情報生成部１３２によって生成された入力画面情報に従って設定入力を受け付ける入力画面４００を表示する（ステップＳ３）。
【００７５】
ここで、ユーザは表示された入力画面４００を見ながら、必要な場合、設定入力を行う。設定部１３３は、タッチパネル１５ａを介してユーザからの設定入力がなされるか否かを検知し（ステップＳ４）、設定入力を受け付けたことを検知した場合には（ステップＳ４のＹｅｓ）、仕上がり情報生成部１３１は、受け付けた設定情報に基づいて、サンプル画像データ１２ａに対する加工や仕上げ処理の結果を表す仮の仕上がり情報を、再び生成する（ステップＳ１）。ここに、仮仕上がり情報生成手段の機能が実行される。そして、入力画面情報生成部１３２は受け付けた設定情報にしたがってユーザからの設定入力を受け付ける入力画面情報を、再び生成する（ステップＳ２）。ここで、ユーザからの設定によって新たにメニュー内容が変更した場合、該変更した内容を含めた新たな入力画面４００を表示する入力画面情報を生成する。そして、表示パネル１５ｂは、仕上がり情報生成部１３１によって生成された仮の仕上がり情報、および入力画面情報生成部１３２によって生成された入力画面情報に従って設定入力を受け付ける入力画面４００（図８参照）を、再び表示する（ステップＳ３）。図８は、パンチ孔処理４０６が施されたサンプル画像５００を示すものである。
【００７６】
操作表示部１５はコピーボタンの押下などによるコピー実行命令を検出する状態となっており、コピー実行命令を受け付けた場合（ステップＳ５のＹｅｓ）、サンプル画像５００に対する各種設定入力に基づく設定処理が施された場合の仕上がり情報に基づき、読取画像データのコピーを実行する（ステップＳ６：複写処理手段）。
【００７７】
このように本実施の形態によれば、複合機１０の操作表示部１５に初期画面として表示されているサンプル画像５００上で各種項目の設定処理を行い、その設定を反映した画像を仕上がり情報（プレビュー画像）として表示パネル１５ｂに表示することになる。これにより、原稿をプレスキャンする必要がなくなることから、各種項目の設定処理の高速化を図ることが可能になる。
【００７８】
［第２の実施の形態］
次に、本発明の第２の実施の形態を図９に基づいて説明する。なお、前述した第１の実施の形態と同じ部分は同じ符号で示し説明も省略する。
【００７９】
第１の実施の形態は、予め用意されたサンプル画像データ１２ａを読取画像データの代わりに表示して各種設定を行うようにしたが、本実施の形態においては、予め用意されたサンプル画像データ１２ａを読取画像データの代わりに表示して各種設定を行うとともに、設定完了後に読み込んだ読取画像データに設定内容を反映した仕上がり情報（プレビュー画像）を作成し確認後処理を実行するようにしたものである。
【００８０】
図９は、システム制御部１６が各部を制御することによる設定処理からコピー処理への流れを示すフローチャートである。図９に示すように、複合機１０の起動後、仕上がり情報生成部１３１は、まず、初期設定情報（デフォルト設定項目値）に基づいて、サンプル画像データ１２ａに対する加工や仕上げ処理の結果を表す仮の仕上がり情報を生成する（ステップＳ１１）。ここに、仮仕上がり情報生成手段の機能が実行される。そして、入力画面情報生成部１３２はデフォルト設定にしたがってユーザからの設定入力を受け付ける入力画面情報を生成する（ステップＳ１２）。ここで、デフォルト設定の情報は、システム制御部１６にデフォルト仕様として記憶させておくことができる。
【００８１】
表示パネル１５ｂは、仕上がり情報生成部１３１によって生成された仮の仕上がり情報、および入力画面情報生成部１３２によって生成された入力画面情報に従って、仕上がり予想および設定入力を受け付ける入力画面４００を表示する（ステップＳ１３）。
【００８２】
ここで、ユーザは表示された入力画面４００を見ながら、必要な場合、設定入力を行う。設定部１３３は、タッチパネル１５ａを介してユーザからの設定入力がなされるか否かを検知し（ステップＳ１４）、設定入力を受け付けたことを検知した場合には（ステップＳ１４のＹｅｓ）、仕上がり情報生成部１３１は、受け付けた設定情報に基づいて、サンプル画像データ１２ａに対する加工や仕上げ処理の結果を表す仮の仕上がり情報を、再び生成する（ステップＳ１１）。ここに、仮仕上がり情報生成手段の機能が実行される。そして、入力画面情報生成部１３２は受け付けた設定情報にしたがってユーザからの設定入力を受け付ける入力画面情報を、再び生成する（ステップＳ１２）。ここで、ユーザからの設定によって新たにメニュー内容が変更した場合、該変更した内容を含めた新たな画面を表示する入力画面情報を生成する。そして、表示パネル１５ｂは、仕上がり情報生成部１３１によって生成された仮の仕上がり情報、および入力画面情報生成部１３２によって生成された入力画面情報に従って設定入力を受け付ける入力画面４００（図８参照）を、再び表示する（ステップＳ１３）。
【００８３】
そして、設定完了後に画像データが読み込まれると（ステップＳ１５のＹｅｓ）、サンプル画像データ１２ａに対する設定情報に基づいて、読み込まれた読取画像データに対する加工や仕上げ処理の結果を表す仕上がり情報を、再び生成する（ステップＳ１１）。ここに、仕上がり情報生成手段の機能が実行される。そして、入力画面情報生成部１３２は受け付けた設定情報にしたがってユーザからの設定入力を受け付ける入力画面情報を、再び生成する（ステップＳ１２）。ここで、ユーザからの設定によって新たにメニュー内容が変更した場合、該変更した内容を含めた新たな画面を表示する入力画面情報を生成する。そして、表示パネル１５ｂは、仕上がり情報生成部１３１によって生成された仕上がり情報、および入力画面情報生成部１３２によって生成された入力画面情報に従って設定入力を受け付ける入力画面４００（図２参照）を、再び表示する（ステップＳ１３）。
【００８４】
操作表示部１５はコピーボタンの押下などによるコピー実行命令を検出する状態となっており）、コピー実行命令を受け付けた場合（ステップＳ１６のＹｅｓ）、読取画像データに対する各種設定入力に基づく設定処理が施された場合の仕上がり情報に基づき、読取画像データのコピーを実行する（ステップＳ１７：複写処理手段）。
【００８５】
このように本実施の形態によれば、複合機１０の操作表示部１５に初期画面として表示されているサンプル画像５００上で各種項目の設定処理を行い、その設定を反映した画像を仮の仕上がり情報（プレビュー画像）として表示パネル１５ｂに表示するとともに、設定完了後に読み込んだ画像データに設定内容を反映した仕上がり情報（プレビュー画像）を作成し、確認後処理を実行するようにしたものである。これにより、最初の設定処理においては原稿をプレスキャンする必要がなくなることから、各種項目の設定処理の高速化を図ることが可能になる。
【００８６】
［第３の実施の形態］
次に、本発明の第３の実施の形態を図１０に基づいて説明する。なお、前述した第１の実施の形態と同じ部分は同じ符号で示し説明も省略する。
【００８７】
第１の実施の形態は、予め用意されたサンプル画像データ１２ａを読取画像データの代わりに表示して各種設定を行うようにしたが、本実施の形態においては、読取画像データが表示可能状態になるまで、予め用意されたサンプル画像データ１２ａを読取画像データの代わりに表示して各種設定を行うとともに、設定完了後に読み込んだ画像データに設定内容を反映した仕上がり情報（プレビュー画像）を作成し確認後処理を実行するようにしたものである。
【００８８】
図１０は、システム制御部１６が各部を制御することによる設定処理からコピー処理への流れを示すフローチャートである。図１０に示すように、読取画像データが表示可能でない場合には（ステップＳ２１のＮｏ）、仕上がり情報生成部１３１は、まず、初期設定情報（デフォルト設定項目値）に基づいて、サンプル画像データ１２ａに対する加工や仕上げ処理の結果を表す仮の仕上がり情報を生成する（ステップＳ２２）。ここに、仮仕上がり情報生成手段の機能が実行される。そして、入力画面情報生成部１３２はデフォルト設定にしたがってユーザからの設定入力を受け付ける入力画面情報を生成する（ステップＳ２３）。ここで、デフォルト設定の情報は、システム制御部１６にデフォルト仕様として記憶させておくことができる。
【００８９】
表示パネル１５ｂは、仕上がり情報生成部１３１によって生成された仮の仕上がり情報、および入力画面情報生成部１３２によって生成された入力画面情報に従って設定入力を受け付ける入力画面４００を表示する（ステップＳ２４）。
【００９０】
ここで、ユーザは表示された入力画面４００を見ながら、必要な場合、設定入力を行う。設定部１３３は、タッチパネル１５ａを介してユーザからの設定入力がなされるか否かを検知し（ステップＳ２５）、設定入力を受け付けたことを検知した場合であって（ステップＳ２５のＹｅｓ）、読取画像データが表示可能でない場合には（ステップＳ２１のＮｏ）、仕上がり情報生成部１３１は、受け付けた設定情報に基づいて、サンプル画像データ１２ａに対する加工や仕上げ処理の結果を表す仮の仕上がり情報を、再び生成する（ステップＳ２２）。ここに、仮仕上がり情報生成手段の機能が実行される。そして、入力画面情報生成部１３２は受け付けた設定情報にしたがってユーザからの設定入力を受け付ける入力画面情報を、再び生成する（ステップＳ２３）。ここで、ユーザからの設定によって新たにメニュー内容が変更した場合、該変更した内容を含めた新たな画面を表示する入力画面情報を生成する。そして、表示パネル１５ｂは、仕上がり情報生成部１３１によって生成された仮の仕上がり情報、および入力画面情報生成部１３２によって生成された入力画面情報に従って設定入力を受け付ける入力画面４００（図８参照）を、再び表示する（ステップＳ２４）。
【００９１】
一方、設定入力を受け付けたことを検知した場合であって（ステップＳ２５のＹｅｓ）、読取画像データが表示可能である場合には（ステップＳ２１のＹｅｓ）、サンプル画像データ１２ａに対する設定情報に基づいて、読取画像データに対する加工や仕上げ処理の結果を表す仕上がり情報を生成する（ステップＳ２６）。ここに、仕上がり情報生成手段の機能が実行される。そして、入力画面情報生成部１３２は受け付けた設定情報にしたがってユーザからの設定入力を受け付ける入力画面情報を、生成する（ステップＳ２３）。ここで、ユーザからの設定によって新たにメニュー内容が変更した場合、該変更した内容を含めた新たな画面を表示する入力画面情報を生成する。そして、表示パネル１５ｂは、仕上がり情報生成部１３１によって生成された仕上がり情報、および入力画面情報生成部１３２によって生成された入力画面情報に従って設定入力を受け付ける入力画面４００（図２参照）を表示する（ステップＳ２４）。
【００９２】
操作表示部１５はコピーボタンの押下などによるコピー実行命令を検出する状態となっており）、コピー実行命令を受け付けた場合（ステップＳ２７のＹｅｓ）、コピーを実行する（ステップＳ２８：複写処理手段）。
【００９３】
このように本実施の形態によれば、複合機１０の操作表示部１５に初期画面として表示されているサンプル画像５００上で各種項目の設定処理を行い、その設定を反映した画像を仮の仕上がり情報（プレビュー画像）として表示パネル１５ｂに表示するとともに、読取画像データが表示可能になった場合には、読取画像データに設定内容を反映した仕上がり情報（プレビュー画像）を作成し、確認後処理を実行するようにしたものである。これにより、最初の設定処理においては原稿をプレスキャンする必要がなくなることから、各種項目の設定処理の高速化を図ることが可能になる。
【００９４】
なお、各実施の形態においては、画像記憶部１２にサンプル画像データ１２ａを予め記憶しておき、サンプル画像データ１２ａを読取画像データの代わりに表示して各種設定を行うようにしたが、これに限るものではなく、前回の操作時に原稿スキャンにより読み込まれた画像データを画像記憶部１２に記憶しておき、当該読取画像データをプレスキャンによる読取画像データの代わりに表示して各種設定を行うようにしてもよい。これにより、予めサンプル画像データを用意する必要がなくなる。
【００９５】
また、各実施の形態においては、画像記憶部１２に単一のサンプル画像データ１２ａを予め記憶しておき、サンプル画像データ１２ａを読取画像データの代わりに表示して各種設定を行うようにしたが、これに限るものではなく、コピー処理を実行する読取画像データの画像特性値（例えば、文字のみ、文字＋写真、写真、２in１など）に応じて予め用意された複数のサンプル画像データの中から適切なデータを選択可能とし、選択したコピー処理を実行する原稿の原稿特性値に応じたサンプル画像データを読取画像データの代わりに表示して各種設定を行うようにしてもよい。これにより、より詳細な設定を行うことができる。
【図面の簡単な説明】
【００９６】
【図１】本発明の第１の実施の形態にかかる複合機の機能ブロック図である。
【図２】複合機が画像データを入力して生成した仕上がり情報（プレビュー画像）の一例を示す模式図である。
【図３】設定処理項目が選択された状態の一例を示す模式図である。
【図４】処理項目と設定可能領域との対応定義テーブルを示す模式図である。
【図５】パンチ孔処理が施された仕上がり情報（プレビュー画像）の一例を示す模式図である。
【図６】サンプル画像を読取画像データに代えて表示した一例を示す模式図である。
【図７】システム制御部が各部を制御することによる設定処理からコピー処理への流れを示すフローチャートである。
【図８】パンチ孔処理が施されたサンプル画像の一例を示す模式図である。
【図９】本発明の第２の実施の形態にかかるシステム制御部が各部を制御することによる設定処理からコピー処理への流れを示すフローチャートである。
【図１０】本発明の第３の実施の形態にかかるシステム制御部が各部を制御することによる設定処理からコピー処理への流れを示すフローチャートである。
【符号の説明】
【００９７】
１０      画像形成装置
１１      画像データ入力手段
１２      画像記憶部
１２ａ    サンプル画像データ
１３１    仕上がり情報生成手段、仮仕上がり情報生成手段
１３２    入力画面情報生成手段
１３３    設定手段
１５１    表示手段
４００    入力画面
４０１    仕上がり情報
４０２    設定処理項目
【図１】
2007188054.tif 000003
【図２】
2007188054.tif 000004
【図３】
2007188054.tif 000005
【図４】
2007188054.tif 000006
【図５】
2007188054.tif 000007
【図６】
2007188054.tif 000008
【図７】
2007188054.tif 000009
【図８】
2007188054.tif 000010
【図９】
2007188054.tif 000011
【図１０】
2007188054.tif 000012